【手続補正書】
【提出日】平成29年6月21日(2017.6.21)
【手続補正１】
【補正対象書類名】明細書
【補正対象項目名】発明の名称
【補正方法】変更
【補正の内容】
【発明の名称】構造物形成方法、システム、プログラム、及び、構造物形成用加工媒体
【手続補正２】
【補正対象書類名】明細書
【補正対象項目名】０００１
【補正方法】変更
【補正の内容】
【０００１】
本発明は、構造物形成方法、システム、プログラム、及び、構造物形成用加工媒体に関する。
【手続補正３】
【補正対象書類名】明細書
【補正対象項目名】０００５
【補正方法】変更
【補正の内容】
【０００５】
そこで、本発明の目的は、色合いが高品位に再現された構造物を形成することができる構造物形成方法、システム、プログラム、及び、構造物形成用加工媒体を提供することである。
【手続補正４】
【補正対象書類名】明細書
【補正対象項目名】０００６
【補正方法】変更
【補正の内容】
【０００６】
本発明に係る構造物形成方法は、立体的な構造物を形成するシステムが実行する構造物形成方法であって、加熱により膨張する膨張層を含む媒体上に光熱変換材料を印刷により形成する工程と、前記光熱変換材料上に白色材料及び彩色材料の少なくとも一方を印刷により形成する工程と、前記光熱変換材料に対応する前記膨張層を膨張させるべく、前記光熱変換材料、及び前記白色材料及び前記彩色材料の少なくとも一方が形成された前記媒体に光を照射する工程と、を含むことを特徴とする。
【手続補正５】
【補正対象書類名】明細書
【補正対象項目名】０００７
【補正方法】変更
【補正の内容】
【０００７】
本発明に係るシステムは、立体的な構造物を形成するシステムであって、加熱により膨張する膨張層を含む媒体上に光熱変換材料を印刷により形成する第１形成部と、前記第１形成部により形成された前記光熱変換材料上に白色材料及び彩色材料の少なくとも一方を印刷により形成する第２形成部と、前記光熱変換材料に対応する前記膨張層を膨張させるべく、前記光熱変換材料、及び前記白色材料及び前記彩色材料の少なくとも一方が形成された前記媒体に光を照射する発光部と、を備えることを特徴とする。
【手続補正６】
【補正対象書類名】明細書
【補正対象項目名】０００８
【補正方法】変更
【補正の内容】
【０００８】
本発明に係るプログラムは、立体的な構造物を形成するシステムを制御するコンピュータに、加熱により膨張する膨張層を含む媒体上に光熱変換材料を印刷により形成する機能、前記光熱変換材料上に白色材料及び彩色材料の少なくとも一方を印刷により形成する機能、前記光熱変換材料に対応する前記膨張層を膨張させるべく、前記光熱変換材料、及び前記白色材料及び前記彩色材料の少なくとも一方が形成された前記媒体に光を照射する機能、を実現させることを特徴とする。
【手続補正７】
【補正対象書類名】明細書
【補正対象項目名】０００９
【補正方法】変更
【補正の内容】
【０００９】
本発明に係る構造物形成用加工媒体は、加熱により膨張する膨張層を含み当該膨張層を膨張させる前の媒体であって、当該膨張層の表面が平坦な前記媒体と、当該媒体上に形成された光熱変換材料と、当該光熱変換材料上に形成された白色材料及び彩色材料の少なくとも一方と、を備えることを特徴とする。
【手続補正８】
【補正対象書類名】明細書
【補正対象項目名】００１０
【補正方法】変更
【補正の内容】
【００１０】
本発明によれば、色合いが高品位に再現された構造物を形成することができる。
【手続補正９】
【補正対象書類名】特許請求の範囲
【補正対象項目名】全文
【補正方法】変更
【補正の内容】
【特許請求の範囲】
【請求項１】
立体的な構造物を形成するシステムが実行する構造物形成方法であって、
加熱により膨張する膨張層を含む媒体上に光熱変換材料を印刷により形成する工程と、
前記光熱変換材料上に白色材料及び彩色材料の少なくとも一方を印刷により形成する工程と、
前記光熱変換材料に対応する前記膨張層を膨張させるべく、前記光熱変換材料、及び前記白色材料及び前記彩色材料の少なくとも一方が形成された前記媒体に光を照射する工程と、
を含むことを特徴とする構造物形成方法。
【請求項２】
前記白色材料及び前記彩色材料の少なくとも一方は、前記光熱変換材料が形成された領域、及び当該領域の境界を覆うように形成される、
ことを特徴とする請求項１に記載の構造物形成方法。
【請求項３】
前記光熱変換材料上に前記白色材料を印刷により形成し、次いで、
前記白色材料上に前記彩色材料を印刷により形成し、次いで、
前記媒体の前記膨張層を加熱により膨張させる、
ことを特徴とする請求項１に記載の構造物形成方法。
【請求項４】
前記白色材料を、前記光熱変換材料が形成された領域、及び当該領域の境界を覆うように形成する、
ことを特徴とする請求項３に記載の構造物形成方法。
【請求項５】
前記彩色材料を、前記白色材料が形成された領域、及び当該領域の境界を覆うように形成する、
ことを特徴とする請求項３又は４に記載の構造物形成方法。
【請求項６】
前記光熱変換材料を、オフセット方式の印刷、又は、インクジェット方式或いはレーザー方式のプリンタを用いた印刷により形成する、
ことを特徴とする請求項１乃至５のいずれかに記載の構造物形成方法。
【請求項７】
前記媒体は、その表面にインク受容層が設けられ、
前記光熱変換材料と、前記白色材料及び前記彩色材料の少なくとも一方とを、前記インク受容層を露出するように形成する、
ことを特徴とする請求項１乃至６のいずれかに記載の構造物形成方法。
【請求項８】
前記媒体に照射される光は、赤外線波長の光を含むことを特徴とする請求項１に記載の構造物形成方法。
【請求項９】
前記媒体に照射される光の光源は、ハロゲンランプであることを特徴とする請求項１に記載の構造物形成方法。
【請求項１０】
前記膨張層は、対応する領域に形成された前記光熱変換材料の濃度が高い程、当該膨張層の膨張高さが高くなることを特徴とする請求項１に記載の構造物形成方法。
【請求項１１】
立体的な構造物を形成するシステムであって、
加熱により膨張する膨張層を含む媒体上に光熱変換材料を印刷により形成する第１形成部と、
前記第１形成部により形成された前記光熱変換材料上に白色材料及び彩色材料の少なくとも一方を印刷により形成する第２形成部と、
前記光熱変換材料に対応する前記膨張層を膨張させるべく、前記光熱変換材料、及び前記白色材料及び前記彩色材料の少なくとも一方が形成された前記媒体に光を照射する発光部と、
を備えることを特徴とするシステム。
【請求項１２】
前記第２形成部は、前記白色材料及び前記彩色材料の少なくとも一方を、前記光熱変換材料が形成された領域、及び当該領域の境界を覆うように形成する、
ことを特徴とする請求項１１に記載のシステム。
【請求項１３】
立体的な構造物を形成するシステムを制御するコンピュータに、
加熱により膨張する膨張層を含む媒体上に光熱変換材料を印刷により形成する機能、
前記光熱変換材料上に白色材料及び彩色材料の少なくとも一方を印刷により形成する機能、
前記光熱変換材料に対応する前記膨張層を膨張させるべく、前記光熱変換材料、及び前記白色材料及び前記彩色材料の少なくとも一方が形成された前記媒体に光を照射する機能、
を実現させることを特徴とするプログラム。
【請求項１４】
前記白色材料及び前記彩色材料の少なくとも一方は、前記光熱変換材料が形成された領域、及び当該領域の境界を覆うように形成される、
ことを特徴とする請求項１３に記載のプログラム。
【請求項１５】
加熱により膨張する膨張層を含み当該膨張層を膨張させる前の媒体であって、当該膨張層の表面が平坦な前記媒体と、
当該媒体上に形成された光熱変換材料と、
当該光熱変換材料上に形成された白色材料及び彩色材料の少なくとも一方と、
を備えることを特徴とする構造物形成用加工媒体。
【請求項１６】
前記白色材料及び前記彩色材料の少なくとも一方が、前記光熱変換材料が形成された領域、及び当該領域の境界を覆うように形成されている、
ことを特徴とする請求項１５に記載の構造物形成用加工媒体。